(57)【要約】      （修正有）【課題】ユーザが指定した商品またはサービスが紹介された番組に関する情報を、シーン単位で細かく検索する方法、電子機器、およびプログラムを提供する。【解決手段】第１番組の複数のシーンに、それぞれ対応するシーンで紹介される商品又はサービスの情報を含む第１情報と、第２番組の複数のシーンに、それぞれ対応するシーンで紹介される商品又はサービスの情報を含む第２情報とを受信し、ユーザによる第１商品又は第１サービスを指定するための第１操作を受け付け、第１操作に応じて、第１番組の複数のシーン及び第２番組の複数のシーンのうち、指定された第１商品又は第１サービスを紹介する１以上のシーンに関する情報を情報端末１００に表示する。【選択図】図１
2016052014.tif 000002
【特許請求の範囲】
【請求項１】
第１番組の複数のシーンに関する情報であって、それぞれ対応するシーンで紹介される商品又はサービスの情報を含む第１情報と、第２番組の複数のシーンに関する情報であって、それぞれ対応するシーンで紹介される商品又はサービスの情報を含む第２情報とを受信し、
ユーザによる第１商品又は第１サービスを指定するための第１操作を受け付け、
前記第１操作に応じて、前記第１番組の複数のシーン及び前記第２番組の複数のシーンのうち、指定された第１商品又は第１サービスを紹介する１以上のシーンに関する情報を表示部に表示する、方法。
【請求項２】
前記第１情報を受信した後、前記第１番組に含まれる１つのシーンを視聴中に、その視聴中のシーンの情報を登録するための第２操作がなされた場合、前記第１情報を用いて、前記視聴中のシーンの情報の少なくとも一部を第１リストに登録する、請求項１に記載の方法。
【請求項３】
前記第１情報を受信する前に、前記第１番組に含まれる１つのシーンを視聴中に、その視聴中のシーンの情報を登録するための第２操作がなされた場合、前記視聴中のシーンの放送時刻とチャンネルとを少なくとも一時的に記憶し、
前記第１情報を受信した後に、前記視聴中のシーンの放送時刻とチャンネルとを用いて、前記第１情報から、前記視聴中のシーンの情報の少なくとも一部を抽出して第１リストに登録する、請求項１に記載の方法。
【請求項４】
前記第１情報を受信した後に、前記視聴中のシーンの放送時刻とチャンネルとを用いて、前記第１情報から、前記視聴中のシーンの情報の少なくとも一部を抽出して前記第１リストに登録する場合に、前記視聴中のシーンの情報のうちのどの情報に興味を持っているかをユーザに選択させるために用いられる画像を前記表示部に表示する、請求項３に記載の方法。
【請求項５】
前記第１番組に含まれる１つのシーンの情報を登録するための第３操作がなされた場合、前記第１情報を用いて、前記第１番組に含まれる１つのシーンの情報を第１リストに登録し、
前記第２番組に含まれる１つのシーンの情報を登録するための第３操作がなされた場合、前記第２情報を用いて、前記第２番組に含まれる１つのシーンの情報を前記第１リストに登録し、
前記第１リストに登録された１以上のシーンの情報を閲覧するための第４操作がなされた場合、前記第１リストに登録されたシーンの情報を表示するものであって、それぞれ対応するシーンで紹介される商品又はサービスの情報を少なくとも表示する、請求項１に記載の方法。
【請求項６】
第１番組の複数のシーンに関する情報であって、それぞれ対応するシーンで紹介される商品又はサービスの情報を含む第１情報と、第２番組の複数のシーンに関する情報であって、それぞれ対応するシーンで紹介される商品又はサービスの情報を含む第２情報とを受信し、ユーザによる第１商品又は第１サービスを指定するための第１操作を受け付け、前記第１操作に応じて、前記第１番組の複数のシーン及び前記第２番組の複数のシーンのうち、指定された第１商品又は第１サービスを紹介する１以上のシーンに関する情報を表示部に表示するプロセッサを備える、電子機器。
【請求項７】
前記プロセッサは、前記第１情報を受信した後、前記第１番組に含まれる１つのシーンを視聴中に、その視聴中のシーンの情報を登録するための第２操作がなされた場合、前記第１情報を用いて、前記視聴中のシーンの情報の少なくとも一部を第１リストに登録するように構成されている、請求項６に記載の電子機器。
【請求項８】
前記プロセッサは、前記第１情報を受信する前に、前記第１番組に含まれる１つのシーンを視聴中に、その視聴中のシーンの情報を登録するための第２操作がなされた場合、前記視聴中のシーンの放送時刻とチャンネルとを少なくとも一時的に記憶し、前記第１情報を受信した後に、前記視聴中のシーンの放送時刻とチャンネルとを用いて、前記第１情報から、前記視聴中のシーンの情報の少なくとも一部を抽出して第１リストに登録するように構成されている、請求項６に記載の電子機器。
【請求項９】
前記プロセッサは、前記第１情報を受信した後に、前記視聴中のシーンの放送時刻とチャンネルとを用いて、前記第１情報から、前記視聴中のシーンの情報の少なくとも一部を抽出して前記第１リストに登録する場合に、前記視聴中のシーンの情報のうちのどの情報に興味を持っているかをユーザに選択させるために用いられる画像を前記表示部に表示するように構成されている、請求項８に記載の電子機器。
【請求項１０】
前記プロセッサは、前記第１番組に含まれる１つのシーンの情報を登録するための第３操作がなされた場合、前記第１情報を用いて、前記第１番組に含まれる１つのシーンの情報を第１リストに登録し、前記第２番組に含まれる１つのシーンの情報を登録するための第３操作がなされた場合、前記第２情報を用いて、前記第２番組に含まれる１つのシーンの情報を前記第１リストに登録し、前記第１リストに登録された１以上のシーンの情報を閲覧するための第４操作がなされた場合、前記第１リストに登録されたシーンの情報を表示するものであって、それぞれ対応するシーンで紹介される商品又はサービスの情報を少なくとも表示するように構成されている、請求項６に記載の電子機器。
【請求項１１】
第１番組の複数のシーンに関する情報であって、それぞれ対応するシーンで紹介される商品又はサービスの情報を含む第１情報と、第２番組の複数のシーンに関する情報であって、それぞれ対応するシーンで紹介される商品又はサービスの情報を含む第２情報とを受信し、
ユーザによる第１商品又は第１サービスを指定するための第１操作を受け付け、
前記第１操作に応じて、前記第１番組の複数のシーン及び前記第２番組の複数のシーンのうち、指定された第１商品又は第１サービスを紹介する１以上のシーンに関する情報を表示部に表示することをコンピュータに実行させるための、プログラム。
【請求項１２】
前記第１情報を受信した後、前記第１番組に含まれる１つのシーンを視聴中に、その視聴中のシーンの情報を登録するための第２操作がなされた場合、前記第１情報を用いて、前記視聴中のシーンの情報の少なくとも一部を第１リストに登録することを前記コンピュータに実行させるための、請求項１１に記載のプログラム。
【請求項１３】
前記第１情報を受信する前に、前記第１番組に含まれる１つのシーンを視聴中に、その視聴中のシーンの情報を登録するための第２操作がなされた場合、前記視聴中のシーンの放送時刻とチャンネルとを少なくとも一時的に記憶し、
前記第１情報を受信した後に、前記視聴中のシーンの放送時刻とチャンネルとを用いて、前記第１情報から、前記視聴中のシーンの情報の少なくとも一部を抽出して第１リストに登録することを前記コンピュータに実行させるための、請求項１１に記載のプログラム。
【請求項１４】
前記第１情報を受信した後に、前記視聴中のシーンの放送時刻とチャンネルとを用いて、前記第１情報から、前記視聴中のシーンの情報の少なくとも一部を抽出して前記第１リストに登録する場合に、前記視聴中のシーンの情報のうちのどの情報に興味を持っているかをユーザに選択させるために用いられる画像を前記表示部に表示することを前記コンピュータに実行させるための、請求項１３に記載のプログラム。
【請求項１５】
前記第１番組に含まれる１つのシーンの情報を登録するための第３操作がなされた場合、前記第１情報を用いて、前記第１番組に含まれる１つのシーンの情報を第１リストに登録し、
前記第２番組に含まれる１つのシーンの情報を登録するための第３操作がなされた場合、前記第２情報を用いて、前記第２番組に含まれる１つのシーンの情報を前記第１リストに登録し、
前記第１リストに登録された１以上のシーンの情報を閲覧するための第４操作がなされた場合、前記第１リストに登録されたシーンの情報を表示するものであって、それぞれ対応するシーンで紹介される商品又はサービスの情報を少なくとも表示することを前記コンピュータに実行させるための、請求項１１に記載のプログラム。
【発明の詳細な説明】
【技術分野】
【０００１】
本発明の実施形態は、方法、電子機器、およびプログラムに関する。
【背景技術】
【０００２】
従来、クラウドサーバなどを用いて放送番組の番組情報を取得する技術が知られている。ここでいう番組情報は、番組に含まれるシーンに関する情報や、番組内で紹介された商品またはサービスに関する情報などを含んでいる。
【先行技術文献】
【特許文献】
【０００３】
【特許文献１】特開２０１２−４４３６４号公報
【発明の概要】
【発明が解決しようとする課題】
【０００４】
上記のような技術では、ユーザが指定した商品またはサービスが紹介された番組に関する情報を、たとえばシーン単位で細かく検索することができれば望ましい。
【課題を解決するための手段】
【０００５】
実施形態による方法は、第１番組の複数のシーンに関する情報であって、それぞれ対応するシーンで紹介される商品又はサービスの情報を含む第１情報と、第２番組の複数のシーンに関する情報であって、それぞれ対応するシーンで紹介される商品又はサービスの情報を含む第２情報とを受信し、ユーザによる第１商品又は第１サービスを指定するための第１操作を受け付け、第１操作に応じて、第１番組の複数のシーン及び第２番組の複数のシーンのうち、指定された第１商品又は第１サービスを紹介する１以上のシーンに関する情報を表示部に表示する。
【図面の簡単な説明】
【０００６】
【図１】図１は、実施形態による情報端末を含むシステムのネットワーク構成を示した例示図である。
【図２】図２は、実施形態による情報端末の内部構成を示した例示ブロック図である。
【図３】図３は、実施形態による情報処理プログラムの機能的構成を示した例示ブロック図である。
【図４Ａ】図４Ａは、実施形態による情報端末に表示されるマイセレクション画面を示した例示図である。
【図４Ｂ】図４Ｂは、実施形態による情報端末に表示されるマイセレクション画面を示した例示図である。
【図５】図５は、実施形態による情報端末に表示されるキーワード検索の結果一覧を示した例示図である。
【図６】図６は、実施形態による情報端末に表示されるシーン一覧を示した例示図である。
【図７】図７は、実施形態による情報端末に表示されるシーン一覧を示した例示図である。
【図８】図８は、実施形態による情報端末に表示されるシーン詳細画面を示した例示図である。
【図９】図９は、実施形態による情報端末に表示される商品サービス詳細画面を示した例示図である。
【図１０】図１０は、実施形態による情報端末に表示されるジャンル別の番組一覧を示した例示図である。
【図１１】図１１は、実施形態による情報端末に表示されるセレクション編集画面を示した例示図である。
【図１２】図１２は、実施形態による情報端末に表示されるセレクション編集画面を示した例示図である。
【図１３】図１３は、実施形態による情報端末に表示されるキーワード一覧を示した例示図である。
【図１４】図１４は、実施形態による情報端末に表示される商品サービス一覧を示した例示図である。
【図１５】図１５は、実施形態による情報端末に表示される録画リストを示した例示図である。
【図１６】図１６は、実施形態による情報端末に表示されるチェックリストを示した例示図である。
【図１７】図１７は、実施形態による情報端末に表示される、しおり情報を追加するための画面を示した例示図である。
【図１８】図１８は、実施形態による情報処理プログラムが起動された際に情報端末が実行する処理を説明するための例示フローチャートである。
【図１９】図１９は、実施形態による情報端末が行う検索処理を説明するための例示フローチャートである。
【図２０】図２０は、実施形態による情報端末においてしおり情報が追加された際に実行される処理を説明するための例示フローチャートである。
【図２１】図２１は、実施形態による情報端末がシーン情報をチェックリストに登録する際に実行する処理を説明するための例示フローチャートである。
【発明を実施するための形態】
【０００７】
以下、実施形態を図面に基づいて説明する。
【０００８】
まず、図１を参照して、実施形態による情報端末１００を含むシステム１０００のネットワーク構成について説明する。情報端末１００は、「電子機器」の一例である。
【０００９】
図１に示すように、システム１０００は、情報端末１００と、テレビジョン装置２００と、番組情報サーバ（以下、単にサーバという）３００とを備える。情報端末１００は、スマートフォンやタブレットなどの情報処理装置である。また、テレビジョン装置２００は、複数のチャンネルで放送されている複数の番組を自動的に録画するように構成された、いわゆるタイムシフトマシン機能を有する映像表示装置である。また、番組情報サーバ３００は、複数の番組に関する番組情報を記憶するように構成された記憶装置である。
【００１０】
ここで、番組情報サーバ３００に記憶される番組情報には、各番組に含まれる各シーンに関するシーン情報や、各シーンで紹介された商品またはサービスに関する商品サービス情報などが含まれる。シーン情報と商品サービス情報とは、互いに対応付けられて番組情報サーバ３００に記憶されている。なお、シーン情報とは、各シーンのタイトル、説明、登場人物、製作者などを示す情報であり、商品サービス情報とは、各シーンで紹介された商品、グルメ（レストラン）、娯楽施設、宿泊施設などを示す情報である。これらの番組情報は、番組の放送後に番組情報サーバ３００の管理者などによって登録される。
【００１１】
図１に示すように、情報端末１００、テレビジョン装置２００、および番組情報サーバ３００は、互いに通信可能に接続されている。より具体的には、情報端末１００とテレビジョン装置２００とは、ホームネットワークなどを介して接続されており、情報端末１００と番組情報サーバ３００とは、インターネットなどを介して接続されている。また、テレビジョン装置２００と情報端末１００とは、インターネットなどを介して接続されている。
【００１２】
次に、図２を参照して、情報端末１００の内部構成について具体的に説明する。
【００１３】
図２に示すように、情報端末１００は、表示部１１と、音声入力部１２と、操作部１３と、通信部１４と、制御部１５と、記憶部１６とを主として備える。制御部１５は、「プロセッサ」の一例である。
【００１４】
表示部１１は、静止画や動画などの映像を表示するように構成された液晶パネルなどのデバイスである。音声入力部１２は、ユーザからの音声入力を受け付けるように構成されたマイクなどのデバイスである。操作部１３は、ユーザからの操作入力を受け付けるように構成された、表示部１１を利用したタッチパネルなどのデバイスである。通信部１４は、他の機器（番組情報サーバ３００やテレビジョン装置２００など）との間の通信に用いられる通信インターフェースである。
【００１５】
制御部１５は、各種コンピュータプログラムを実行することにより、ＰＣ１００の各部を制御するように構成されたＣＰＵ（Ｃｅｎｔｒａｌ  Ｐｒｏｃｅｓｓｉｎｇ  Ｕｎｉｔ）などを備える。記憶部１６は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などを備え、制御部１５による各種演算処理に用いられる各種コンピュータプログラムや各種データなどを記憶するように構成されている。
【００１６】
ここで、実施形態では、一例として、制御部１５は、図３に示すような情報処理プログラム５００を実行するように構成されている。この情報処理プログラム５００は、以下で説明するようなモジュール構成となっている。
【００１７】
図３に示すように、情報処理プログラム５００は、入力制御部５１と、出力制御部５２と、通信制御部５３と、チェックリスト管理部５４と、演算処理部５５とを備える。これらの各モジュールは、制御部１５のＣＰＵが記憶部１６のＲＯＭから情報処理プログラム５００を読み出して実行した結果として記憶部１６のＲＡＭ上に生成される。
【００１８】
入力制御部５１は、音声入力部１２や操作部１３を介したユーザの入力操作を検出するように構成されている。また、出力制御部５２は、表示部１１への映像出力や、図示しないスピーカなどへの音声出力を制御するように構成されている。
【００１９】
通信制御部５３は、通信部１４を介した各種データの送受信を制御するように構成されている。たとえば、通信制御部５３は、番組情報サーバ３００から番組情報を定期的に取得するように構成されている。チェックリスト管理部５４は、記憶部１６に記憶されるチェックリスト（詳細は後述する）を管理するように構成されている。演算処理部５５は、各種演算処理や判断処理を行うように構成されている。
【００２０】
実施形態では、情報処理プログラム５００が呼び出された場合、まず、出力制御部５２は、図４Ａおよび図４Ｂに示すようなマイセレクション画面ＩＭ１（以下、単に画面ＩＭ１という）を表示部１１に表示するように構成されている。なお、図４Ｂは、図４Ａに示す画面ＩＭ１を下側にスクロールしたものを示している。
【００２１】
図４Ａおよび図４Ｂに示すように、画面ＩＭ１は、タイトルバーＢ１と、検索バーＢ２と、複数のセレクションボタンＢ３〜Ｂ７と、タブバーＢ８とを含む。なお、タブバーＢ８は、以下で説明する種々の操作によって表示画面が切り替わる場合でも固定的に表示部１１に表示される。
【００２２】
まず、図５〜図９を参照して、図４Ａおよび図４Ｂの検索バーＢ２を用いたキーワード検索について説明する。ここで、キーワード検索とは、ソフトウェアキーボードなどを用いて検索バーＢ２に入力したキーワードに合致するまたは関連する番組情報を番組情報サーバ３００から取得して表示部１１に表示する操作である。
【００２３】
たとえば、図４Ａおよび図４Ｂの検索バーＢ２に「Ｗ杯」というキーワードが入力されたことを入力制御部５１が検出すると、通信制御部５３は、「Ｗ杯」というキーワードに合致するまたは関連する番組に関する番組情報を番組情報サーバ３００から取得する。そして、出力制御部５２は、通信制御部５３により取得された番組情報の一覧を、キーワード検索結果として表示部１１に表示する（図５の画面ＩＭ２参照）。
【００２４】
ここで、図５は、検索結果が番組別に表示された例を示しているが、ユーザは、画面ＩＭ２の表示切替ボタンＢ９をタッチ（選択）することにより、検索結果を番組単位で表示するかシーン単位で表示するかを切り替えることができる。また、ユーザは、画面ＩＭ２の検索バーＢ１０内に表示された「絞り込み」という表示をタッチすることにより、検索結果をさらに絞り込むことができる。
【００２５】
なお、図５の画面ＩＭ２は、検索結果としての複数の番組が放送時間順に表示された例を示しているが、実施形態では、検索結果としての複数の番組が放送時間順に表示されていなくてもよい。また、実施形態では、検索結果としての複数の番組の各々がテレビジョン装置２００に録画されている番組であるかテレビジョン装置２００に録画されていない番組であるかを識別することができるように、検索結果としての複数の番組に対応して表示された複数のマークＭ１の表示形式を変えてもよい。たとえば、テレビジョン装置２００に録画されていない番組に対応するマークＭ１を相対的に暗く表示し（グレーアウト表示）、テレビジョン装置２００に録画されている番組に対応するマークＭ１を相対的に明るく表示してもよい。
【００２６】
ここで、図５の画面ＩＭ２に表示された複数の番組のうちの１つをタッチする操作を入力制御部５１が検出すると、出力制御部５２は、選択された番組に含まれる複数のシーンに関する複数のシーン情報の一覧を表示部１１に表示する（図６の画面ＩＭ３参照）。ユーザは、図６の画面ＩＭ３に表示された複数のシーンのうちの１つをタッチすることにより、選択したシーンをテレビジョン装置２００に表示再生させることができる。つまり、実施形態では、情報端末１００を、テレビジョン装置２００を操作するためのリモートコントローラとして使用することができる。
【００２７】
また、図６の画面ＩＭ３に表示された複数のシーンのうちの１つをタッチする操作を入力制御部５１が検出すると、出力制御部５２は、図７に示すように、選択された１つのシーンがテレビジョン装置２００で表示再生されていることを明示するためのマークＭ２を画面ＩＭ３上に表示する。この画面ＩＭ３と同様の画面は、図４Ａおよび図４ＢのタイトルバーＢ１や図６のタイトルバーＢ１１に表示された「再生中」という表示をタッチする操作が行われた場合などにも表示される。つまり、実施形態では、ユーザは、「再生中」という表示を選択すると、現在テレビジョン装置２００で表示再生されているシーンを含む番組のシーン一覧を、図７の画面ＩＭ４と同様の表示形式で表示部１１に表示させることができる。なお、後述する図８〜図１１および図１４〜図１６にも「再生中」という表示を含むタイトルバーが存在するが、これらのタイトルバーの「再生中」という表示が選択された場合でも、図７の画面ＩＭ４と同様のシーン一覧が表示部１１に表示される。
【００２８】
また、図６または図７の画面ＩＭ３の各シーンに対応して表示された詳細表示ボタンＢ１２をタッチする操作を入力制御部５１が検出すると、出力制御部５２は、図８に示すようなシーン詳細画面ＩＭ４（以下、単に画面ＩＭ４という）を表示部１１に表示する。
【００２９】
図８の画面ＩＭ４には、図６または図７の画面ＩＭ３上で選択された詳細表示ボタンＢ１２に対応するシーンに関するシーン情報と、そのシーン情報に対応する商品サービス情報とが表示されている。この画面ＩＭ４に表示された商品サービス情報に対応する画像ＩＭ４ａをタッチする操作を入力制御部５１が検出すると、出力制御部５２は、図９に示すような商品サービス詳細画面ＩＭ５（以下、単に画面ＩＭ５という）を表示部１１に表示する。
【００３０】
図９の画面ＩＭ５には、図８の画面ＩＭ４上で選択された画像ＩＭ４ａに対応する商品サービス情報の詳細が表示されている。たとえば、図９の画面ＩＭ４には、商品サービス情報の詳細として、商品またはサービスが紹介された番組のタイトルおよび放送時間や、商品またはサービスを提供する店舗の名前、説明および住所（地図）などが表示されている。
【００３１】
なお、図９の画面ＩＭ４には、店舗の名前の横に、「インターネットで検索」と表示されている。ユーザは、この「インターネットで検索」という表示をタッチすることにより、情報端末１００にインストールされたブラウザを起動し、画面ＩＭ４に表示された店舗の名前に一致するまたは関連する情報をインターネット上で検索することができる。また、画面ＩＭ４には、店舗の住所の横に、「地図アプリで検索」と表示されている。ユーザは、この「地図アプリで検索」という表示をタッチすることにより、情報端末１００にインストールされた地図アプリを起動し、画面ＩＭ４に表示された店舗の住所の付近の地図を地図アプリ上で検索することができる。
【００３２】
次に、図１０〜図１４を参照して、図４Ａおよび図４Ｂの画面ＩＭ１に表示されたセレクションボタンＢ３〜Ｂ７を用いたセレクション検索について説明する。
【００３３】
図４Ａおよび図４ＢのセレクションボタンＢ３は、番組のジャンル毎に複数設けられている。これら複数のセレクションボタンＢ３のうちの１つをタッチする操作を入力制御部５１が検出すると、通信制御部５３は、選択されたセレクションボタンＢ３に対応するジャンルと一致するジャンルの番組の番組情報を番組情報サーバ３００から検索して取得する。そして、出力制御部５２は、通信制御部５３により取得された番組情報の一覧を、ジャンル別の番組一覧として表示部１１に表示する（図１０の画面ＩＭ６参照）。図１０の画面ＩＭ６には、一例として、「ニュース」というジャンルに属する複数の番組の番組情報が一覧表示されている。
【００３４】
また、図４Ｂの画面ＩＭ１には、上記のセレクションボタンＢ３の他にも、“ＪＪＪ”や“ＫＫＫ”といったキーワードに対応するセレクションボタンＢ４が表示されている。このセレクションボタンＢ４は、対応する文字列と一致するまたは関連する文字列を含む番組情報を一覧表示するためのボタンである。つまり、セレクションボタンＢ４をタッチする操作を入力制御部５１が検出すると、通信制御部５３は、選択されたセレクションボタンＢ４に対応するキーワードと一致するまたは関連するキーワードを含む番組情報を番組情報サーバ３００から検索して取得する。そして、出力制御部５２は、通信制御部５３により取得された番組情報の一覧を、図１０の画面ＩＭ６と同様の表示形式で表示部１１に表示する。
【００３５】
ここで、セレクション検索における検索条件は、ユーザが任意に設定することが可能である。つまり、図４Ａおよび図４Ｂの画面ＩＭ１内に、どのような検索条件に対応するセレクションボタンを表示するかは、ユーザが任意に設定することが可能である。なお、ここでいうセレクションボタンとは、所定の検索条件に基づく検索結果を図１０の画面ＩＭ６と同様の表示形式で表示部１１に一覧表示させるためのボタンであり、上記セレクションボタンＢ３およびＢ４と同様の機能を有するボタンのことである。
【００３６】
詳細には、ユーザは、図１１および図１２のセレクション編集画面ＩＭ７およびＩＭ８（以下、単に画面ＩＭ７およびＩＭ８という）上で所定の操作を行うことにより、セレクション検索における検索条件を追加したり削除したりすることができる。なお、図１１の画面ＩＭ７は、図４Ａおよび図４ＢのタイトルバーＢ１に表示された「カスタマイズ」という文字列が選択された際に表示部１１に表示される画面であり、図１２の画面ＩＭ８は、図１１の画面ＩＭ７のタイトルバーＢ１３に表示された「編集」という文字列が選択された際に表示部１１に表示される画面である。
【００３７】
たとえば、ユーザは、図１１の画面ＩＭ７に表示された「セレクションの作成」というボタンＢ１４を選択し、新たな検索条件を入力する操作を行うことにより、図４Ａおよび図４Ｂの画面ＩＭ１上に、入力した検索条件に対応する新たなセレクションボタンを追加表示させることができる。なお、図１１の画面ＩＭ７には、一例として、アニメや映画などのジャンルや、「Ｗ杯」や「ＫＫＫ」などのキーワードが一覧表示されている。図１１の各ジャンルやキーワードに対応するセレクションボタンを図４Ａおよび図４Ｂの画面ＩＭ１上に表示させるか否かは、各ジャンルやキーワードに対応するように表示されたボタンＢ１５を操作することによって切り替え可能である。
【００３８】
また、ユーザは、図１２の画面ＩＭ８に表示されたボタンＢ１６を操作することにより、過去に設定した検索条件を削除することができる。実施形態では、このボタンＢ１６を、デフォルトで予め設定されている検索条件に対しては表示せず、ユーザが作成した検索条件に対しては表示するように構成してもよい。このように構成すれば、デフォルトで予め設定されている検索条件を削除不可能にし、ユーザが作成した検索条件のみを削除可能にすることができる。たとえば、図１２の画面ＩＭ８では、ユーザが設定した「Ｗ杯」、「ＫＫＫ」、および「ＰＰＰ」といったキーワードに対してのみボタンＢ１６が表示されている。
【００３９】
図１３の画面ＩＭ９は、図４ＢのセレクションボタンＢ５が選択された場合に表示部１１に表示されるキーワード一覧を示すものである。この画面ＩＭ９には、検索対象としてユーザに頻繁に設定される話題のキーワードが、設定される頻度の高い順に一覧表示されている。ユーザは、画面ＩＭ９上で一覧表示された複数のキーワードのうちの１つを選択することにより、選択したキーワードに一致するまたは関連するキーワードを含む番組情報を、図５の画面ＩＭ２と同様の表示形式で表示部１１に表示させることができる。
【００４０】
また、図１４の画面ＩＭ１０は、図４ＢのセレクションボタンＢ６が選択された場合に表示部１１に表示される商品サービス一覧を示すものである。この画面ＩＭ１０には、番組で紹介されたグルメの情報（レストランの店舗情報）が、紹介された日時の新しい順に一覧表示されている。ユーザは、画面ＩＭ１０上で一覧表示された複数の店舗情報のうちの１つを選択することにより、選択した店舗情報の詳細を、図９の画面ＩＭ５と同様の表示形式で表示部１１に表示させることができる。なお、実施形態では、図４ＢのセレクションボタンＢ６が選択された場合、番組で紹介された商品の情報の一覧が、図１４の画面ＩＭ１０と同様の表示形式で表示部１１に表示される。
【００４１】
次に、図１５を参照して、録画リストについて説明する。録画リストとは、テレビジョン装置２００側で録画された番組の一覧を示すものである。
【００４２】
図１５の画面ＩＭ１１は、タブバーＢ８のうちの「録画リスト」という部分が選択された場合に表示部１１に表示される。ユーザは、画面ＩＭ１１上で一覧表示された複数の番組のうちの１つを選択することにより、選択した番組の番組情報を、図６の画面ＩＭ３と同様の表示形式で表示部１１に表示させることができる。なお、図１５は、録画リストの表示態様の一例として、テレビジョン装置２００側で録画された番組が放送日時の新しい順に一覧表示された画面ＩＭ１１を示しているが、実施形態では、番組の表示の順番は、放送日時の新しい順でなくてもよい。
【００４３】
次に、図１６を参照して、チェックリストについて説明する。チェックリストとは、ユーザが興味を示した情報の一覧を示すものである。
【００４４】
図１６の画面ＩＭ１２は、チェックリストの一例として、ユーザが興味を示した番組の一覧を表示している。この画面ＩＭ１２は、タブバーＢ８のうちの「チェックリスト」という部分が選択された場合に表示部１１に表示される。ユーザは、画面ＩＭ１２上で一覧表示された複数の番組のうちの１つを選択することにより、選択した番組の番組情報を、図６の画面ＩＭ３と同様の表示形式で表示部１１に表示させることができる。実施形態では、図１６に示すように、チェックリストに登録された番組があとどれくらいの時間でテレビジョン装置２００のストレージから削除されるかを表示してもよい。
【００４５】
チェックリストに情報を登録する手法としては、図５〜図８、図１０、および図１４のボタンＢ１７を操作する手法が挙げられる。つまり、図５〜図７および図１０のボタンＢ１７をタッチする操作を入力制御部５１が検出すると、通信制御部５３は、ボタンＢ１７に対応して表示された番組の番組情報を番組情報サーバ３００から取得する。そして、チェックリスト管理部５４は、通信制御部５３により取得された番組情報を記憶部１６内のチェックリストに登録する。
【００４６】
ここで、実施形態では、チェックリストは、ユーザが興味を示した情報を、番組単位で登録するだけでなく、シーン単位、および商品またはサービス単位で登録することが可能なように構成されている。つまり、実施形態では、ユーザは、図８の画面ＩＭ４上でボタンＢ１７をタッチすることにより、画面ＩＭ４に表示されたシーンのシーン情報をチェックリストに登録することができる。また、ユーザは、図１４の画面ＩＭ１０上でボタンＢ１７をタッチすることにより、画面ＩＭ１０に表示された商品またはサービスの商品サービス情報をチェックリストに登録することができる。なお、図８のボタンＢ１８は、画面ＩＭ４に表示されたシーンのシーン情報をＳＮＳ（Ｓｏｃｉａｌ  Ｎｅｔｗｏｒｋｉｎｇ  Ｓｅｒｖｉｃｅ）などを利用して他のユーザと共有するためのボタンである。
【００４７】
また、実施形態では、チェックリストに情報を登録する手法として、上記のボタンＢ１７を操作する手法以外にも、図１７の画面ＩＭ１３を操作する手法が挙げられる。この画面ＩＭ１３には、テレビジョン装置２００で表示再生されている番組のチャンネルを切り替えるための選局ボタンなどを含む画像ＩＭ１３ａと、以下で説明するしおり情報を入力するための画像ＩＭ１３ｂとが表示されている。
【００４８】
ユーザは、図１７の画像ＩＭ１３ｂ上の「シーンを登録」という表示をタッチすることにより、その操作を行った時点でテレビジョン装置２００に表示再生されている番組のシーンをチェックリストに登録することができる。
【００４９】
ここで、図１７の画像ＩＭ１３ｂを操作した時点で表示再生されている番組が過去に録画された番組である場合には、その番組の番組情報は番組情報サーバ３００に既に記憶されている。したがって、この場合、情報端末１００が番組情報を番組情報サーバ３００から定期的に取得するように構成されているものとすると、チェックリスト管理部５４は、取得済みの番組情報に基づいて、ユーザが指定したシーンのシーン情報をすぐにチェックリストに登録することができる。
【００５０】
しかしながら、図１７の画像ＩＭ１３ｂを操作した時点で表示再生されている番組が現在放送中の番組である場合には、その番組の番組情報は番組情報サーバ３００にまだ記憶されていない。したがって、この場合、演算処理部５５は、まず、画像ＩＭ１３ｂを操作した時点で表示再生されている番組のチャンネルおよび時間（放送時刻）をしおり情報として一時的に記憶する。そして、演算処理部５５は、通信制御部５３を用いて番組情報サーバ３００から番組情報を定期的に取得し、しおり情報として記憶したチャンネルおよび時間に基づいて特定されるシーンのシーン情報が取得されたか否かを監視する。そして、出力制御部５２は、しおり情報に対応するシーン情報が番組情報サーバ３００から取得された際に、その旨をユーザに通知するための画像や音声などを出力制御部５２を用いて出力する。そして、チェックリスト管理部５４は、このように取得されたシーン情報をチェックリストに登録する。
【００５１】
ここで、図１７の画像ＩＭ１３ｂは、「シーンを登録」という表示の他にも、「このシーンの登場人物」、「このシーンの話題」、「紹介された商品」、「紹介されたグルメ」、および「紹介された施設」といった表示も含んでいる。これらの表示は、テレビジョン装置２００に表示再生されている番組のうちのどの情報に興味を持っているかをユーザに選択させるために設けられている。つまり、これらの表示のうちのどの表示をユーザが選択したかを記憶しておけば、ユーザが興味を持っている情報の種類を推定することができるので、ユーザが興味を持っている情報を後でおすすめ情報としてユーザに提供することができる。
【００５２】
次に、図１８を参照して、情報処理プログラム５００が起動された際に情報端末１００が実行する処理について説明する。
【００５３】
この処理フローでは、図１８に示すように、出力制御部５２は、まず、ステップＳ１において、マイセレクション画面（図４Ａおよび図４Ｂの画面ＩＭ１）を表示部１１に表示する。そして、ステップＳ２に処理が進む。
【００５４】
ステップＳ２において、演算処理部５５は、ユーザの操作が入力制御部５１によって検出されたか否かを判断する。このステップＳ２の処理は、ユーザの操作が検出されたと判断されるまで繰り返される。そして、ステップＳ２において、ユーザの操作が検出されたと判断された場合、ステップＳ３に処理が進む。
【００５５】
ステップＳ３において、演算処理部５５は、入力制御部５１によって検出されたユーザの操作が、情報処理プログラム５００を終了させるための終了操作であるか否かを判断する。ステップＳ３において、ユーザの操作が終了操作であると判断された場合には、処理が終了する。一方、ステップＳ３において、ユーザの操作が終了操作ではないと判断された場合、たとえば図４Ａの検索バーＢ２にキーワードを入力する操作や、セレクションボタンＢ３〜Ｂ７をタッチする操作が行われたと判断された場合には、ステップＳ４に処理が進む。
【００５６】
ステップＳ４において、出力制御部５２は、表示部１１に表示する画面を、ユーザの操作に応じた画面に切り替える。たとえば、図４Ａおよび図４Ｂの画面ＩＭ１が表示された状態でセレクションボタンＢ３をタッチする操作が入力制御部５１により検出されると、出力制御部５２は、表示部１１に表示する画面を、画面ＩＭ１から、図１０の画面ＩＭ６に切り替える。そして、ステップＳ２に処理が戻る。
【００５７】
次に、図１９を参照して、情報端末１００が行う検索処理について説明する。
【００５８】
この処理フローでは、図１９に示すように、演算処理部５５は、まず、ステップＳ１１において、検索条件が入力されたか否かを判断する。つまり、演算処理部５５は、図４Ａおよび図４Ｂの検索バーＢ１やセレクションボタンＢ３〜Ｂ７を用いてキーワードやジャンルなどの検索条件を指定する操作が入力制御部５１によって検出されたか否かを判断する。ステップＳ１１の処理は、検索条件が入力されたと判断されるまで繰り返される。ステップＳ１において、検索条件が入力されたと判断された場合、ステップＳ１２に処理が進む。
【００５９】
ステップＳ１２において、通信制御部５３は、入力された検索条件に基づいて、検索条件に応じたシーン情報を取得し、出力制御部５２は、取得したシーン情報を表示部１１に表示する。これにより、図５の画面ＩＭ２や、図１０の画面ＩＭ６や、図１３の画面ＩＭ９や、図１４の画面ＩＭ１０などが表示部１１に表示される。そして、処理が戻る。
【００６０】
次に、図２０を参照して、実施形態による情報端末１００においてしおり情報が追加された際に実行される処理について説明する。
【００６１】
この処理フローでは、図２０に示すように、まず、ステップＳ２１において、演算処理部５５は、しおり情報が追加されたか否かを判断する。つまり、演算処理部５５は、図１７の画面ＩＭ１３の画像ＩＭ１３ｂを用いてしおり情報を追加する操作が入力制御部５１により検出されたか否かを判断する。このステップＳ２１の処理は、しおり情報が追加されたと判断されるまで繰り返される。ステップＳ２１において、しおり情報が追加されたと判断された場合、ステップＳ２２に処理が進む。
【００６２】
ステップＳ２２において、通信制御部５３は、追加されたしおり情報に基づいて、しおり情報に応じたシーン情報を番組情報サーバ３００から取得する。このステップＳ２２の処理の詳細については、後述する。そして、処理が戻る。
【００６３】
次に、図２１を参照して、情報端末１００がシーン情報をチェックリストに登録する処理、すなわち図２０のステップＳ２２の処理の詳細について説明する。
【００６４】
この処理フローでは、図２１に示すように、まず、演算処理部５５は、ステップＳ３１において、図２０のステップＳ２１において追加されたしおり情報に対応するシーン情報を番組情報サーバ３００から取得済みであるか否かを判断する。たとえば、通信制御部５３が番組情報を番組情報サーバ３００から定期的に取得するように構成されている場合、演算処理部５５は、これら取得済みの番組情報の中に、しおり情報に対応するシーン情報が含まれているか否かを判断する。
【００６５】
ステップＳ３１において、しおり情報に対応するシーン情報が取得済みであると判断された場合、つまり、しおり情報を追加する操作が行われた時点で表示再生されている番組が過去に録画された番組である場合には、ステップＳ３２に処理が進む。そして、ステップＳ３２において、チェックリスト管理部５４は、しおり情報に対応する取得済みのシーン情報をチェックリストに登録する。そして、処理が戻る。
【００６６】
一方、ステップＳ３１において、しおり情報に対応するシーン情報が取得済みでないと判断された場合、つまり、しおり情報を追加する操作が行われた時点で表示再生されている番組が現在放送中の番組である場合には、ステップＳ３３に処理が進む。そして、ステップＳ３３において、演算処理部５５は、表示再生されている番組の、しおり情報を追加する操作が行われた時点で時間およびチャンネルを一時的に記憶する。そして、ステップＳ３４に処理が進む。
【００６７】
ステップＳ３４において、演算処理部５５は、しおり情報に対応するシーン情報が番組情報サーバ３００から取得されたか否かを判断する。つまり、通信制御部５３が番組情報を番組情報サーバ３００から定期的に取得するように構成されている場合、演算処理部５５は、取得済みの番組情報の中に、しおり情報として記憶したチャンネルおよび時間に基づいて特定されるシーンのシーン情報が含まれるようになったか否かを判断する。
【００６８】
このステップＳ３４の処理は、しおり情報に対応するシーン情報が取得されたと判断されるまで繰り返される。そして、ステップＳ３４において、しおり情報に対応するシーン情報が取得されたと判断された場合には、ステップＳ３５に処理が進む。
【００６９】
ステップＳ３５において、演算処理部５５は、しおり情報に対応するシーン情報が取得された旨を、出力制御部５２を用いてユーザに通知する。そして、ステップＳ３６に処理が進む。
【００７０】
ステップＳ３６において、演算処理部５５は、ステップＳ３３において一時的に記憶した時間およびチャンネルに基づいて、取得済みの番組情報の中から、しおり情報に対応するシーン情報を抽出する。そして、ステップＳ３７に処理が進む。
【００７１】
ステップＳ３７において、チェックリスト管理部５４は、ステップＳ３６において抽出されたシーン情報をチェックリストに登録する。そして、処理が戻る。
【００７２】
以上説明したように、実施形態では、制御部１５は、シーン情報および商品サービス情報を番組情報サーバ３００から取得し、ユーザによる商品またはサービス指定を指定するための操作を受け付け、受け付けた操作に応じて、指定された商品またはサービスを紹介する１以上のシーンに関するシーン情報を表示部１１に表示する。これにより、ユーザが指定した商品またはサービスが紹介された番組に関する情報をシーン単位で細かく検索することができる。
【００７３】
また、実施形態では、制御部１５は、番組情報サーバ３００から番組情報を取得した後、番組に含まれる１つのシーンを視聴中に、その視聴中のシーンに関するシーン情報を登録するための操作がなされた場合、取得済みの番組情報を用いて、視聴中のシーンに関するシーン情報をチェックリストに登録するように構成されている。これにより、番組情報を取得済みの番組、たとえば録画済みの番組を視聴中に所定の操作を行うことにより、その番組のうちのユーザが指定したシーンに関するシーン情報をチェックリストに記憶させておくことができる。
【００７４】
また、実施形態では、制御部１５は、番組情報を取得する前に、番組に含まれる１つのシーンを視聴中に、その視聴中のシーンの情報を登録するための操作がなされた場合、視聴中のシーンの時間およびチャンネルを一時的に記憶し、番組情報を取得した後に、一時的に記憶した時間およびチャンネルを用いて、取得済みの番組情報から、視聴中のシーンに関するシーン情報を抽出してチェックリストに登録するように構成されている。これにより、番組情報がまだ取得されていない番組、たとえば現在放送中の番組を視聴中に所定の操作を行うことにより、その番組のうちのユーザが指定したシーンに関するシーン情報をチェックリストに記憶させておくことができる。
【００７５】
また、実施形態では、制御部１５は、番組情報を受信した後に視聴中のシーンの放送時刻およびチャンネルを用いてシーン情報を抽出してチェックリストに登録する場合に、視聴中のシーンに関連するどのような情報に興味を持っているかをユーザに選択させるために用いられる画像（図１７の画像ＩＭ１３ｂ）を表示部１１に表示するように構成されている。これにより、ユーザがどのような情報に興味を持ったためにシーンをチェックリストに登録したかを特定することができるので、ユーザの興味に応じた情報をおすすめ情報としてユーザに提供することができる。
【００７６】
また、実施形態では、制御部１５は、チェックリストに登録された１以上のシーンに関するシーン情報を閲覧するための操作がなされた場合、チェックリストに登録されたシーンに関するシーン情報と、それらのシーンで紹介される商品又はサービスに関する商品サービス情報とを表示部１１に表示するように構成されている。これにより、チェックリストに基づいて、ユーザが興味を持ったシーン情報および商品サービス情報を互いに関連付けて表示することができる。
【００７７】
なお、実施形態による情報処理プログラム５００は、インストール可能な形式または実行可能な形式のコンピュータプログラムプロダクトとして提供される。すなわち、情報処理プログラム５００は、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、非一時的で、コンピュータで読み取り可能な記録媒体を有するコンピュータプログラムプロダクトに含まれた状態で提供される。
【００７８】
情報処理プログラム５００は、インターネットなどのネットワークに接続されたコンピュータに格納された状態で、ネットワーク経由で提供または配布されてもよい。また、情報処理プログラム５００は、ＲＯＭなどに予め組み込まれた状態で提供されてもよい。
【００７９】
また、上記の実施形態は、ユーザが指定した商品またはサービスに基づいてシーン情報を検索する処理を情報端末１００に実行させるように構成されている。しかしながら、上記の検索処理は、テレビジョン装置２００に実行させてもよい。つまり、実施形態では、情報処理プログラム５００と同様の機能を有するプログラムをテレビジョン装置２００にインストールし、テレビジョン装置２００を用いて上記の検索処理を行ってもよい。また、上記の実施形態では、検索条件の指定などをタッチ入力で行っているが、検索条件の指定などを音声入力で行ってもよい。
【００８０】
以上、本発明の実施形態および変形例を説明したが、上記実施形態および変形例はあくまで一例であって、発明の範囲を限定することは意図していない。上記実施形態および変形例は、様々な形態で実施されることが可能であり、発明の要旨を逸脱しない範囲で、種々の省略、置き換え、変更を行うことができる。上記実施形態および変形例は、発明の範囲や要旨に含まれるとともに、特許請求の範囲に記載された発明とその均等の範囲に含まれる。
【符号の説明】
【００８１】
１１  表示部
１５  制御部（プロセッサ）
１００  情報端末（電子機器）
３００  番組情報サーバ
５００  情報処理プログラム
【図１】
2016052014.tif 000003
【図２】
2016052014.tif 000004
【図３】
2016052014.tif 000005
【図４Ａ】
2016052014.tif 000006
【図４Ｂ】
2016052014.tif 000007
【図５】
2016052014.tif 000008
【図６】
2016052014.tif 000009
【図７】
2016052014.tif 000010
【図８】
2016052014.tif 000011
【図９】
2016052014.tif 000012
【図１０】
2016052014.tif 000013
【図１１】
2016052014.tif 000014
【図１２】
2016052014.tif 000015
【図１３】
2016052014.tif 000016
【図１４】
2016052014.tif 000017
【図１５】
2016052014.tif 000018
【図１６】
2016052014.tif 000019
【図１７】
2016052014.tif 000020
【図１８】
2016052014.tif 000021
【図１９】
2016052014.tif 000022
【図２０】
2016052014.tif 000023
【図２１】
2016052014.tif 000024